(57)【要約】【課題】文字シートがしっかりと固定さていない構造で車に取り付けられると、振動時や、高温・低温環境下では、文字シートが変形し、文字が読みにくくなったり、文字シートがむき出しになっているので、変色することがある。【解決手段】本発明においては、文字シート７を透明ボタン６のピン9とヒンジブロック８のピン止め  の間でしっかりと固定しているので、車載時の振動や高温・低音環境下でも文字シートが変形しにくいと共に、文字シートがむき出しではないので変色しにくい。【選択図】図１
2010149674.tif 000002
【特許請求の範囲】
【請求項１】
上方にボタンを有し、下方にピンを有した透明ボタンと、
前記透明ボタンのピンに対向した位置に穴を設けた文字シートと、
前記透明ボタンのピンに対向した位置にピン止めを設けたヒンジブロックとを備え、
前記文字シートを前記透明ボタンと前記ヒンジブロックで挟み込み、前記透明ボタンの上方にパネルを取り付けたことを特徴とする車載用電子装置。
【請求項２】
透明ボタンに複数のボタンが設けられ、各ボタンに対向する文字シートの色を任意の色にすることを特徴とする請求項１記載の車載用電子装置。
【発明の詳細な説明】
【技術分野】
【０００１】
本発明は、車載機オーディオやカーナビゲーション等の車載用電子装置において、文字シートを使用したボタンを搭載した車載用電子装置に関する。
【背景技術】
【０００２】
拡散シートを用いずに発光部の光を拡散する発光装置が、特許文献１に開示されている。
【０００３】
この特許文献１に記載された発光装置は、図８の断面図に示される。図８に示されるように、ＬＥＤ２６に対向する文字シート２２のＬＥＤ窓部に、乳白半透明色の印刷部３３が形成されている。この構成により、操作パネル２１の背面に拡散シートを貼り付けなくても、ＬＥＤ窓部３１の部分は、文字シート２２を透明な樹脂部材２３によりモールドしても透明にはならず、ＬＥＤ２６からの光を印刷部３３にて効果的に拡散できる。
【特許文献１】特開平１０−８０３５６号公報
【発明の開示】
【発明が解決しようとする課題】
【０００４】
しかしながら、従来の文字シートを使用した発光装置では、高温・低温環境下になる車載機に発光装置を搭載すると、文字シートがむき出しになっているので、文字シートが変形し、文字が読みにくくなったり、変色することがある。
【０００５】
本発明は上記の従来の課題を解決するためになされたもので、車載機に文字シートを使用したボタンを搭載しても、文字シートが変形や変色しずらい車載用電子装置を提供することを目的とする。
【課題を解決するための手段】
【０００６】
本発明の車載用電子装置は、上方にボタンを有し、下方にピンを有した透明ボタンと、
前記透明ボタンのピンに対向した位置に穴を設けた文字シートと、
前記透明ボタンのピンに対向した位置にピン止めを設けたヒンジブロックとを備え、
前記文字シートを前記透明ボタンと前記ヒンジブロックで挟み込み、前記透明ボタンの上方にパネルを取り付けたことを特徴とする。
【発明の効果】
【０００７】
本発明は、上方にボタンを下方にピンを有した透明ボタンと、透明ボタンのピンに対向した位置に穴を設けた文字シートと、透明ボタンのピンに対向した位置にピン止めを設けたヒンジブロックとを備え、文字シートを透明ボタンとヒンジブロックで挟み込み、透明ボタンの上方にパネルを取り付けたことにより、高温・低温環境下や振動の加わる環境下に置かれる車載機において、文字シートを使用したボタンを搭載しても、文字シートが変形しにくく、変色しずらい車載用電子装置を提供することができる。
【発明を実施するための最良の形態】
【０００８】
以下、本発明の実施の形態の文字シートを搭載したに車載用電子装置ついて、図面を用いて説明する。なお、以下の説明において、図１に記載のＸ方向を幅方向、Ｙ方向を奥行き方向、Ｚ方向を高さ方向として説明する。
【０００９】
図１において、カーナビゲーション（車載用電子装置）１は、図示しないＣＤデッキやラジオチューナ、あるいは、それらを電気的に制御するためのＩＣや地図データを格納し
たメモリーを実装したプリント基板などを内部に収容した筐体２を有し、筐体２の前面部に操作パネル３が取り付けできるように構成されている。操作パネル３より奥側の筐体部分は自動車のセンターコンソール内部に組み込まれ、車両に取り付けられた際は、外観上、操作部４が使用者に対して露出されて、車室内のエアコンパネルなど他のパネルと一体になるように装着される。操作者は操作パネル３に設けられた複数の操作釦５（５ａ〜５ｉ）を押下する操作を行ってカーナビゲーション１の各機能を操作する。
【００１０】
以上のように構成されたカーナビゲーション１について、図２、図３、図４、図５、図６、図７を用いて操作部４のボタンの詳細を説明する。
【００１１】
図２、図３において、透明ボタン６は、樹脂材料（ＰＣ：ポリカーボネート）で形成され、上方にボタン、下方にピン９を有し、カーナビゲーションの各種機能を操作するボタンであり、文字シート７は、厚さ０．２ｍｍの透明なPET材料で形成され、透明ボタン6のピン９の対向する位置に穴が設けられ、ヒンジ部８は樹脂材料(ＰＣ、色：スモーク色)で形成され、上方に透明ボタン６のピン９の対向する位置にピン止めが設けられている。
【００１２】
カーナビゲーション１の各種設定を行なう「メニュー」の文字や音量を調整する「＋」の記号等、機能を表示した文字シート７を、透明ボタン６のピン９とヒンジブロック８のピン止めで挟み込み、パネル３に取付ける。
【００１３】
また、図４、図５に示すように、文字シート７は、透明な文字シートの裏面から意匠色で前面印刷を行い、その後、図５の斜線部で示すように、ボタンの機能を表示する文字や記号（図５では「＋」と「−」など)以外の箇所を、遮光性のあるインク（黒色等）で印刷を行う。基板１１に設けられたＬＥＤ１０は、ヒンジブロック8を照射し、操作パネル３の透明ボタン６からは、文字シートの文字や記号を見ることができる。
【００１４】
また、文字シート７の印刷色は、図５に示すように単色で構成することも、図６に示すように印刷色Ａ、Ｂ、Ｃなどの複数の色で構成することもでき、図６の文字シート7を操作パネル４に取り付けると、図７に示すように、ボタン毎に任意の色にすることができる。
【００１５】
このような本発明の実施の形態の文字シートを搭載したカーナビゲーションによれば、文字シートを透明ボタンとヒンジブロックの間でしっかり固定しているので、車載時の振動や高温・低音環境下でも文字シートが変形しにくいと共に、文字シートがむき出しではないので変色しにくい、という効果を有する。
【産業上の利用可能性】
【００１６】
本発明は文字シートを搭載した車載用電子装置に関し、車の中で、振動時や高温・低温環境下でも、文字シートが変形しにくく、かつ、変色しにくいことを特徴とした車載用電子装置に関する。
【図面の簡単な説明】
【００１７】
【図１】本発明の車載用電子装置の外観図
【図２】本発明の実施の形態における文字シートを使用したボタンの構造図
【図３】本発明の実施の形態における文字シートを使用したボタンの斜視図
【図４】本発明の実施の形態における発光装置の構造図
【図５】本発明の実施の形態における文字シート（単色）の構造図
【図６】本発明の実施の形態における文字シート（複数の色）の構造図
【図７】本発明の実施の形態における文字シート（複数の色）を搭載した車載用電子装置の外観図
【図８】従来の文字シートを使用した発光装置の構造図
【符号の説明】
【００１８】
３・・・パネル
６・・・透明ボタン
７・・・文字シート
８・・・ヒンジブロック
【図１】
2010149674.tif 000003
【図２】
2010149674.tif 000004
【図３】
2010149674.tif 000005
【図４】
2010149674.tif 000006
【図５】
2010149674.tif 000007
【図６】
2010149674.tif 000008
【図７】
2010149674.tif 000009
【図８】
2010149674.tif 000010